(57)【要約】      （修正有）【課題】よりインタラクティブなセカンドスクリーンシステムを提供する。【解決手段】システム１００は、第１及び第２のタイプのウォータマークＷＭ１、ＷＭ２を伴う第１のコンテンツをレンダリングするファーストスクリーン１１０を有する。第１のタイプのウォータマークＷＭ１は、そのウォータマークに反応するセカンドスクリーン１２０で捕捉される。セカンドスクリーンはユーザに情報を表示し且つユーザ入力を受け取る。セカンドスクリーンはまた、第２のタイプのウォータマークＷＭ２を第２のコンテンツに加え、第２のコンテンツをレンダリングする。第３の装置１３０は、第１及び第２のコンテンツの両方において第２のタイプのウォータマークを捕捉する。セカンドスクリーンによって埋め込まれたウォータマークはユーザの動作に依存するので、第３の装置は間接的にユーザの動作に反応することができる。【選択図】図１
2015036818.tif 000002
【特許請求の範囲】
【請求項１】
レンダリング装置によってレンダリングされる第１のコンテンツを捕捉する手段と、
前記第１のコンテンツから第１のウォータマークのペイロードを取り出し、前記第１のコンテンツから第２のウォータマークのペイロードを取り出さない手段と、
ウォータマーク付きの第２のコンテンツを得るよう第２のコンテンツにペイロードによりウォータマークを挿入する手段と、
前記ウォータマーク付きの第２のコンテンツをレンダリングする手段と
を有する装置。
【請求項２】
前記第１のウォータマーク及び前記第２のウォータマークのうちの少なくとも１つは、オーディオウォータマークである、
請求項１に記載の装置。
【請求項３】
前記第１のウォータマーク及び前記第２のウォータマークは両方とも、オーディオウォータマークである、
請求項２に記載の装置。
【請求項４】
前記第１のウォータマーク及び前記第２のウォータマークは、異なるウォータマーク技術に対応する、
請求項１に記載の装置。
【請求項５】
ユーザに情報を表示し且つユーザ入力を受け取るよう構成されるユーザインターフェースと、
前記ユーザインターフェースから前記ユーザ入力を受け取る手段と、
受信されたペイロードに応答して前記ユーザインターフェースに情報を表示させる手段と、
第２のウォータマークの埋め込み器へウォータマークペイロードを送信する手段と
を更に有する請求項１に記載の装置。
【請求項６】
前記ユーザインターフェースは、タッチスクリーンである、
請求項５に記載の装置。
【請求項７】
前記ユーザ入力に応答して前記埋め込み器へ送信する前記ウォータマークペイロードを選択する手段
を更に有する請求項５に記載の装置。
【請求項８】
前記第１のコンテンツに特有であるアプリケーションであって、前記ユーザインターフェースに、受信されたペイロードに応答して前記情報を表示させ且つ前記ウォータマークペイロードを前記第２のウォータマークの埋め込み器へ送信させる前記アプリケーションを実行する手段
を更に有する請求項５に記載の装置。
【請求項９】
捕捉及び埋め込み装置と、受信器装置とを有するシステムであって、
前記捕捉及び埋め込み装置は、
第１のウォータマーク及び第２のウォータマークを伴うレンダリングされる第１のコンテンツを捕捉する手段と、
前記第１のコンテンツから第１のウォータマークのペイロードを取り出し、第２のウォータマークのペイロードを取り出さない手段と、
ウォータマーク付きの第２のコンテンツを得るよう第２のコンテンツにペイロードにより第２のウォータマークを挿入する手段と、
前記ウォータマーク付きの第２のコンテンツをレンダリングする手段と
を有し、
前記受信器装置は、
前記第１のコンテンツ及び前記第２のコンテンツを捕捉する手段と、
第１のウォータマークのペイロードではなく第２のウォータマークのペイロードを取り出す手段と、
前記取り出されたペイロードに反応する手段と
を有する、システム。
【請求項１０】
前記第１のコンテンツをレンダリングするよう構成されるレンダリング装置
を更に有する請求項９に記載のシステム。
【発明の詳細な説明】
【技術分野】
【０００１】
本開示は、概して、（オーディオ）ウォータマークに関し、特に、そのようなウォータマークと相互に作用する装置に関する。
【背景技術】
【０００２】
本項目は、以下で記載及び／又は請求される本開示の様々な態様に関係があり得る様々な技術態様を読む者に紹介することを目的とする。本議論は、本開示の様々な態様のより良い理解を促すよう読む者に背景情報を提供するのに役立つと信じられる。然るに、それらの記述は、先行技術の承認としてではなく、この観点から読まれるべきであることが理解されるべきである。
【０００３】
近年、所謂セカンドスクリーンシステムが関心を集めてきた。それらにおいて、第１の装置（ファースト又はメインスクリーン）、通常、ラウドスピーカを備えたスクリーンは、オーディオ部分がウォータマーク（フィンガープリント）を付加されたコンテンツ項目をレンダリングする。第２の装置は、ウォータマークペイロードを捕捉し、それを処理し、ウォータマークペイロードに依存する動作を実行する。典型的な動作は、第１の装置によってレンダリングされるコンテンツに何らかの関係がある補助情報をダウンロードし表示することである。補助情報の例は、第１の装置によってレンダリングされるスポーツイベントに関連した統計値及び、コンテンツ項目において現れるアイテムの購入を可能にするウェブサイトである。
【０００４】
“セカンドスクリーン”は、常にビデオをレンダリングすることができる装置であるわけでない点が留意されるべきである。すなわち、それは必ずしもスクリーンではない。そのような解決法の例は、例えば、アニメにおけるギャグに笑うことによって、コンテンツに反応するおもちゃである。
【０００５】
特に、２番目の場合において、第２の装置は、直接にコンテンツにのみ反応し、コンテンツとのユーザのインタラクションに反応せず、これは制限的であると認められ得る。
【発明の概要】
【発明が解決しようとする課題】
【０００６】
従って、セカンドスクリーンシステムにおいて装置がコンテンツとのユーザのインタラクションに反応することを可能にすることができる解決法の必要性が存在することが理解されよう。本開示は、そのような解決法を提供する。
【課題を解決するための手段】
【０００７】
第１の態様において、開示は、レンダリング装置によってレンダリングされる第１のコンテンツを捕捉するよう構成されるユニットと、前記第１のコンテンツから第１のウォータマークのペイロードを取り出し、前記第１のコンテンツから第２のウォータマークのペイロードを取り出さないよう構成される検出器と、ウォータマーク付きの第２のコンテンツを得るよう第２のコンテンツにペイロードによりウォータマークを挿入するよう構成される第２のウォータマークの埋め込み器と、前記ウォータマーク付きの第２のコンテンツをレンダリングするよう構成されるレンダリングユニットとを有する装置を対象とする。
【０００８】
第１の実施形態において、前記第１のウォータマーク及び前記第２のウォータマークのうちの少なくとも１つは、オーディオウォータマークである。前記第１のウォータマーク及び前記第２のウォータマークは両方ともオーディオウォータマークであることが有利である。
【０００９】
第２の実施形態において、前記第１のウォータマーク及び前記第２のウォータマークは、異なるウォータマーク技術に対応する。
【００１０】
第３の実施形態において、当該装置は、ユーザに情報を表示し且つユーザ入力を受け取るよう構成されるユーザインターフェースと、該ユーザインターフェースから前記ユーザ入力を受け取り、受信されたペイロードに応答して前記ユーザインターフェースに情報を表示させ、前記第２のウォータマークの埋め込み器へウォータマークペイロードを送信するよう構成されるプロセッサとを更に有する。前記ユーザインターフェースは、タッチスクリーンであることが有利である。また、前記プロセッサは、前記ユーザ入力に応答して前記埋め込み器へ送信する前記ウォータマークペイロードを選択するよう構成されることが有利である。更に、前記プロセッサは、前記第１のコンテンツに特有であるアプリケーションであって、前記ユーザインターフェースに、受信されたペイロードに応答して前記情報を表示させ且つ前記第２のウォータマークの埋め込み器へ前記ウォータマークペイロードを送信させる前記アプリケーションを実行するよう構成されることが有利である。
【００１１】
第２の態様において、開示は、捕捉及び埋め込み装置と、受信器装置とを有するシステムを対象とする。前記捕捉及び埋め込み装置は、第１のウォータマーク及び第２のウォータマークを伴うレンダリングされる第１のコンテンツを捕捉するよう構成されるユニットと、前記第１のコンテンツから第１のウォータマークのペイロードを取り出し、第２のウォータマークのペイロードを取り出さないよう構成される検出器と、ウォータマーク付きの第２のコンテンツを得るよう第２のコンテンツにペイロードによりウォータマークを素柔するよう構成される第２のウォータマークの埋め込み器と、前記ウォータマーク付きの第２のコンテンツをレンダリングするよう構成されるレンダリングユニットとを有する。前記受信器装置は、前記第１のコンテンツ及び前記第２のコンテンツを捕捉するよう構成されるユニットと、第１のウォータマークのペイロードではなく第２のウォータマークのペイロードを取り出すよう構成される検出器と、前記取り出されたペイロードに反応するよう構成されるプロセッサとを有する。
【００１２】
第１の実施形態において、当該システムは、前記第１のコンテンツをレンダリングするよう構成されるレンダリング装置を更に有する。
【発明の効果】
【００１３】
本発明の実施形態によれば、セカンドスクリーンシステムにおいて装置がコンテンツとのユーザのインタラクションに反応することを可能にすることができる解決法が提供され得る。
【図面の簡単な説明】
【００１４】
【図１】本開示に従う、例となるシステムを表す。
【図２】本開示の好ましい実施形態に従うセカンドスクリーン１２０を表す。
【図３】本開示の好ましい実施形態に従う第３の装置１３０を表す。
【図４】本開示が使用される、例となるシナリオを表す。
【発明を実施するための形態】
【００１５】
本開示の好ましい特徴は、ここで、限定されない例として、添付の図面を参照して記載される。
【００１６】
図１は、本開示に従う、例となるシステムを表す。システム１００は、第１の装置（“ファーストスクリーン”）１１０と、第２の装置（“セカンドスクリーン”）１２０と、第３の装置１３０とを有する。ファーストスクリーン１１０は、有利にテレビ受像機であって、ウォータマーク付きの第１のコンテンツ１４０を受信しレンダリングするよう構成される。セカンドスクリーン１２０は、第１のコンテンツ１４０において第１のタイプのウォータマークＷＭ１を捕捉するよう構成され、一方、第３の装置１３０は、このコンテンツ１４０において第２のタイプのウォータマークＷＭ２を捕捉するよう構成される。セカンドスクリーン１２０はまた、受信された情報をレンダリングし、ウォータマークを第２のコンテンツ（図示せず。）に埋め込み、ウォータマーク付きの第２のコンテンツをレンダリングし、ユーザと相互に作用するよう構成される。受信され且つ取り出された第２のタイプのウォータマークＷＭ２に反応するよう構成される。以降で更に記載されるであろうように、ファーストスクリーン１１０、セカンドスクリーン１２０及び第３の装置１３０は夫々、望ましくは、少なくとも１つのプロセッサ（本図では図示せず。）と、メモリ（本図では図示せず。）と、当業者によく知られているケーブルのような他の必須のハードウェアとを有する。ＣＤ−ＲＯＭ又はハードディスクのような、非一時的な記憶媒体１５０は、セカンドスクリーン１２０による実行を対象としたアプリケーション（以降で更に記載される。）の命令を記憶する。
【００１７】
好ましい実施形態において、ファーストスクリーン１１０は、第１及び第２のタイプのウォータマークＷＭ１，ＷＭ２を有する第１のコンテンツ１４０を受信する。第１及び第２のタイプのウォータマークＷＭ１，ＷＭ２は、望ましくは、２つの異なるウォータマーク技術を用いて挿入されており、その目的は、セカンドスクリーン１２０が第１のタイプのウォータマークＷＭ１を取り出し、第２のタイプのウォータマークＷＭ２を挿入することができ、一方、第３の装置１３０が第２のタイプのウォータマークＷＭ２のみを取り出すよう構成されることである。言い換えれば、夫々のタイプのウォータマークは、その場合に、取り出しのためにそれ自体のタイプの検出器を必要とする。
【００１８】
よって、ファーストスクリーン１１０がウォータマーク付きの第１のコンテンツ１４０をレンダリングする場合に、それは有利に、両方のタイプのウォータマークＷＭ１及びＷＭ２を有する。如何なるタイプのウォータマーク（すなわち、オーディオ及びビデオ両方のウォータマーク）も可能であるが、オーディオウォータマークが好ましい。セカンドスクリーン１２０は、ウォータマークチャネル（すなわち、オーディオ又はビデオ）を捕捉して、それに含まれる第２のタイプのウォータマークＷＭ２ではなく第１のタイプのウォータマークＷＭ１を取り出し、第２のタイプのウォータマークＷＭ２を第２のコンテンツに挿入するよう構成される。第３の装置１３０は、関連するウォータマーク付きチャネルを捕捉して、それに含まれる、ファーストスクリーン１１０又はセカンドスクリーン１２０に由来する第２のタイプのウォータマークＷＭ２を取り出すよう構成される。
【００１９】
図２は、本開示の好ましい実施形態に従うセカンドスクリーン１２０を表す。セカンドスクリーン１２０は、自身に向けられたウォータマークを有するチャネルを捕捉するユニット１２１を有し、好ましい実施形態がオーディオウォータマークを使用するとして、このユニットはマイクロホンである。マイクロホン１２１は、捕捉した音響を、第１のタイプのウォータマークＷＭ１の検出器１２２へ転送し、検出器１２２はウォータマークペイロードを取り出し、取り出されたウォータマークペイロードはプロセッサ１２３へ転送される。
【００２０】
プロセッサ１２３は、有利にコンテンツに（従って、異なるウォータマークペイロードに）特有であるアプリケーションを実行するよう構成される。これは、受信されたウォータマークペイロードへの特定の反応を実行する。プロセッサ１２３はまた、ユーザ入力を受け取り且つレンダリングされるべき情報をユーザに送信するために、ユーザインターフェース１２４、望ましくはタッチスクリーン、と通信するよう構成される。プロセッサ１２３は更に、ウォータマークペイロードを生成し、これを第２のタイプのウォータマークの埋め込み器１２５へ送信するよう構成される。埋め込み器１２５は、ペイロードをウォータマークとして第２のコンテンツに埋め込むよう構成される。第２のコンテンツは、セカンドスクリーン１２０において局所的に記憶されるか、又は遠隔サーバからセカンドスクリーン１２０によって取り出されてよい。好ましい実施形態では、ウォータマークは、オーディオコンテンツに埋め込まれるオーディオウォータマークである。第２のコンテンツは、第２のコンテンツのレンダラ１２６、好ましい実施形態ではラウドスピーカ、へ送信される。
【００２１】
このように、セカンドスクリーン１２０は、第１のタイプのウォータマークを捕捉し且つ取り出し、ウォータマークペイロードに反応し、情報をユーザにレンダリングし且つユーザ入力を受け取り、第２のタイプのウォータマークを埋め込み且つ取り出すよう構成される。
【００２２】
図３は、本開示の好ましい実施形態に従う第３の装置１３０を表す。明らかなように、第３の装置１３０は、セカンドスクリーン１２０よりも簡単であり得る。第３の装置１３０は、自身に向けられたウォータマークを有するチャネルを捕捉するユニット１３１を有し、好ましい実施形態がオーディオウォータマークを使用するとして、このユニットはマイクロホンである。マイクロホン１３１は、捕捉した音響を、第２のタイプのウォータマークＷＭ２の検出器１３２へ転送し、検出器１３２はウォータマークペイロードを取り出し、取り出されたウォータマークペイロードはプロセッサ１３３へ転送される。
【００２３】
プロセッサ１３３は、受信されたペイロードに応答して１以上の動作を実行するよう構成される。そのような動作の例は種々のタイプの動きを有するが、動作は所定のオーディオトラックの再生であることが好ましい。ペイロードに依存して、プロセッサ１３３は、次いで、対応するオーディオトラック取り出し、取り出されたオーディオトラックは、レンダリングのためにラウドスピーカ１３６へ送信される。
【００２４】
このように、第３の装置１３０は、ファーストスクリーン１１０及びセカンドスクリーン１２０の両方に由来するウォータマークに反応することができる。セカンドスクリーン１２０からのウォータマークは、ユーザの動作に依存するよう作られ得るので、第３の装置１３０は、このよう間接的にユーザの動作に反応することができる。本開示のために、ユーザ無入力もユーザ動作と見なされる点が留意されるべきである。つまり、第３の装置１３０は、ユーザ入力の欠如にも反応することができる。
【００２５】
実例となる非制限的な例は、ここで更に、如何にしてシステムが動作することができるのかを示す。例となるシナリオは、変化する難易度のクローズドクエスチョンの組に答えるようユーザに求める放送クイズゲームである。この例において、質問ごとに常に４つのとり得る答えが存在する。
【００２６】
第１のコンテンツ１４０は、ホストが番組中で質問を尋ねる場合にその質問を（有利に、番号：１，２，３，・・・によって）識別する第１のタイプのウォータマークＷＭ１と、解答時間が過ぎた場合を示すウォータマーク（例えば、０）とを有する。第１のコンテンツ１４０は、ホストが自身の質問を終えるとその質問の期待される難易度（例えば、“簡単”は１、“普通”は２、“難しい”は３、及び“天才”は４）を示す第２のタイプのウォータマークＷＭ２を更に有する。それらの値及びタイムラインは、コンテンツの片をオフラインで編集する際にオペレータによって定義される。
【００２７】
ホストが質問を尋ね始める場合に、セカンドスクリーン１２０における検出器１２２は、第１のタイプのウォータマークＷＭ１を検出し、ペイロードを取り出す。これは、質問の順序である。アプリケーションは、質問及び対応するとり得る答え（予め記憶されているか又はオンザフライでダウンロードされてよい。）を表示し、オーディオトラックの再生を開始し、ユーザの選択を待つことによって、反応する。
【００２８】
ホストが質問を尋ねるのを止める場合に、第３の装置１３０の検出器１３２は、質問の難易度を取り出す。難易度に対応して、プロセッサ１３３は、コンテクストメッセージを読み出して（ラウドスピーカ１３６を通じて）再生する。例えば、１については、「それは簡単な質問だよ！」、２については、「これはそれほど難しくないよ。」。
【００２９】
ユーザインターフェース１２４を介して提供されるユーザの答えを待つ間、プロセッサ１２３によって実行されるアプリケーションは、それがトリガすることができる予め定義された反応の組を有する。第３の装置１３０の所望の反応に依存して、アプリケーションは、ラウドスピーカ１２６によってレンダリングされている現在再生中のオーディオトラックに埋め込むために、第２のタイプのウォータマークＷＭ２の埋め込み器１２５へ送信されるペイロードを定義する。
【００３０】
第３の装置１３０によって受け取られると、オーディオトラックはマイクロホン１３１によって捕捉され、埋め込まれたウォータマークは検出器１３２によって取り出され、検出器１３２はペイロードをプロセッサ１３３へ転送し、プロセッサ１３３は、対応するオーディオトラックメッセージをラウドスピーカ１３６を介して再生する。次の表１は、ペイロード値及び対応するメッセージの例を与える：
【表１】
2015036818.tif 000003
解答時間が過ぎた場合に、セカンドスクリーン１２０のウォータマーク検出器１２２は、対応するペイロードを取り出し、それをプロセッサ１２３へ送る。プロセッサ１２３は、次いで、ユーザインターフェース１２４によってレンダリングされている情報を更新する。ユーザが時間内に答えなかった場合は、プロセッサ１２３はまた、第３の装置１３０にメッセージ「遅すぎる！」を再生させ得るペイロード“１７”をウォータマーク埋め込み器１２５に供給することができる。
【００３１】
この例となるシナリオは更に、時間が下方向で進むタイムラインを示す図４において説明される。最初に、ホストは質問１を尋ね、そして、第１のタイプのウォータマークＷＭ１は値１を有する。この値は、それが質問１であることを示す。質問の終わりに、第２のタイプのウォータマークＷＭ２は値１を有し、これは、第３の装置１３０に「ヘイ、それは簡単な質問だよ！」を言わせる。ホスト及びセカンドスクリーン１２０がユーザからの答えを待つ間、セカンドスクリーン１２０は、自身が流布する第２のコンテンツにおいて値１２を有するウォータマークを埋め込んで、第３の装置１３０に「たぶん、３」を言わせる。ユーザが応答（本例では、それは正しい。）を提供するのを待つ待機の終わりに、第１のタイプのウォータマークＷＭ１は、解答時間が過ぎたことを示すよう値０を有する。ユーザによって入力された正しい答えに応答して、セカンドスクリーン１２０は、値１８を有するウォータマークを第２のコンテンツにおいて埋め込み、第３の装置１３０は「万歳」によりそれに応答する。次いで、これは、２番目及び更なる質問を通じて適切な値により繰り返される。
【００３２】
変形例において、第１のタイプ及び第２のタイプのウォータマークＷＭ１，ＷＭ２は、両方とも同じウォータマーク技術により挿入され且つ取り出される。これは、セカンドスクリーン１２０及び第３の装置１３０がそれらのウォータマークを取り出すことができることを意味する。しかし、この場合には、夫々のウォータマークタイプは、他方から隔離したペイロード値の組に対応するこのように、セカンドスクリーン１２０は、両方のタイプのウォータマークを取り出すことができるが、ペイロード値が如何なる反応にも対応しないので第２のタイプのウォータマークに反応することができない。また、第３の装置１３０について、それは、その場合に対照的である。すなわち、それは、第２のタイプのウォータマークにしか反応しない。この場合に、セカンドスクリーン１２０及び第３の装置１３０が両方とも反応する第３のタイプのウォータマークを有することが可能であることが認識されるであろう。この変形例において、反応はウォータマークの取り出しと見なされ、一方、無反応はウォータマークの非取り出しと見なされる。
【００３３】
本明細書は幾つかの箇所で特定の特徴について単数形、例えば、単に「プロセッサ」、を用いるが、その特徴の機能性は当然ながら複数の回路において実施されてよいが認識されるであろう。
【００３４】
更に、本開示は、よりインタラクティブなセカンドスクリーンシステムを提供することができることが認識されるであろう。
【００３５】
本明細書並びに（必要に応じて）特許請求の範囲及び図面において開示される夫々の特徴は、独立して又は何らかの適切な組み合わせにおいて提供されてよい。ハードウェアにおいて実施されるように記載される特徴はまた、ソフトウェアにおいて実施されてよく、その逆も同様である。特許請求の範囲において現れる参照符号は、単なる例示にすぎず、特許請求の範囲の適用範囲を限定する効果を有するべきではない。
【符号の説明】
【００３６】
１００  セカンドスクリーンシステム
１１０  第１の装置（ファーストスクリーン）
１２０  第２の装置（セカンドスクリーン）
１２１  マイクロホン
１２２  第１のタイプのウォータマークの検出器
１２３  プロセッサ
１２４  ユーザインターフェース
１２５  第２のタイプのウォータマークの埋め込み器
１２６  レンダラ
１３０  第３の装置
１３１  マイクロホン
１３２  第２のタイプのウォータマークの検出器
１３３  プロセッサ
１４０  第１のコンテンツ
【図１】
2015036818.tif 000004
【図２】
2015036818.tif 000005
【図３】
2015036818.tif 000006
【図４】
2015036818.tif 000007
【外国語明細書】
2015036818000001.pdf